(57)【要約】【課題】半割り型見本を新規に製作することなく、商品の販売促進、宣伝効果、注目度等を高めることができる半割り型見本支持体を提供する。【解決手段】半割り型見本支持体３を構成する見本支持体４を、自動販売機１を構成する見本陳列部２の背面パネル２ａに固定した後、半割り型見本５の後面側内周縁部を、見本支持体４の膨出部４Ａに形成した見本固定部４Ａａに前方から装着して、半割り型見本５を膨出部４Ａの輪郭と略一致するように取り付けるとともに、半割り型見本５を見本固定部４Ａａに固定する。【選択図】  図２
2007034354.tif 000002
【特許請求の範囲】
【請求項１】
自動販売機が販売する商品に酷似した半割り型見本を、該自動販売機の見本陳列部に設置するために用いられる半割り型見本支持体であって、
上記見本陳列部に設置される見本支持体の前面に、上記商品の前側半分と同一形状に形成した半割り型見本の後面部が固定される凸状の見本固定部を設けた
半割り型見本支持体。
【請求項２】
上記見本固定部を、上記見本支持体の前面を膨出成形してなる膨出部に設けた
請求項１に記載の半割り型見本支持体。
【請求項３】
上記膨出部を、上記商品を正面から見た輪郭と同一形状に形成した
請求項２に記載の半割り型見本支持体。
【請求項４】
上記商品の前面と酷似する形状に形成した膨出部を、上記見本固定部が設けられた膨出部側部に複数形成するとともに、
上記各膨出部を、上記見本固定部が設けられた膨出部を基準として、該見本支持体の前面に沿って連なるように配列した
請求項２又は３に記載の半割り型見本支持体。
【請求項５】
上記各膨出部を、上記見本固定部が設けられた膨出部の膨出量を基準として、該各膨出部が徐々に小さくなるように配列した
請求項４に記載の半割り型見本支持体。
【請求項６】
上記見本支持体を、所定形状に折曲げ可能な厚みを有するフィルム状又はシート状の合成樹脂で形成し、
上記見本支持体の下部に、該見本支持体を起立状態に支持する支持部を折曲げ形成した
請求項１乃至５のいずれか一つに記載の半割り型見本支持体。
【請求項７】
上記見本支持体の一端側前面部と他端側後面部とを略平行する状態に折曲げ、上記半割り型見本が固定される前面部と、該前面部の後側に配置される後面部とを所定間隔に隔てられた状態に支持した
請求項１乃至６のいずれか一つに記載の半割り型見本支持体。
【請求項８】
上記見本支持体の縁部に、上記見本固定部に固定した半割り型見本の底部側が覆い隠される覆い部を折曲げ形成した
請求項１乃至７のいずれか一つに記載の半割り型見本支持体。
【発明の詳細な説明】
【技術分野】
【０００１】
この発明は、例えば自動販売機が販売する商品の選択購入、販売促進、宣伝広告等の目的に用いられる半割り型見本支持体に関する。
【背景技術】
【０００２】
従来、上述例のような半割り型見本を設置する方法としては、例えば販売促進情報表示部材を構成する本体正面に販売促進情報と見本缶とを設け、本体裏面側に自動販売機の見本缶設置部への取付け部を設けた特許文献１の自動販売機の見本設置部に設ける販売促進情報表示部材があるが、既存の見本缶を本体正面に固定するという構成及び思想の開示がなく、本体正面と見本缶とを一体的に設けられているので、販売される商品の種類に応じて、複数の販売促進情報表示部材を製作しなければならず、製作コストが高くなる。
【０００３】
他の方法としては、ダミー容器下部を取付台板に弾力的に後方に傾動するように取付け、ダミー容器背部を支持する直立した支持板にダミー容器を弾力的に圧接、密着させて、ダミー容器の安定した取付けを行う特許文献２の自動販売機におけるダミー容器の取付け構造があるが、ダミー容器背部を支持板前面に固定するという構成及び思想の開示がなく、取付台板の前端よりも後方にダミー容器が取付けられるため、ダミー容器が前方に飛び出してくるような立体感を購入者に対して与えることが難しく、販売促進、宣伝効果が薄い。
【０００４】
【特許文献１】実用新案登録第３０７５７１５号
【特許文献２】特開２００２−７４４８０号
【発明の開示】
【発明が解決しようとする課題】
【０００５】
この発明は上記問題に鑑み、半割り型見本を新規に製作することなく、商品の販売促進、宣伝効果、注目度等を高めることができる半割り型見本支持体の提供を目的とする。
【課題を解決するための手段】
【０００６】
請求項１に記載した発明の半割り型見本支持体は、自動販売機が販売する商品に酷似した見本を、該自動販売機の見本陳列部に設置するために用いられる半割り型見本支持体であって、上記見本陳列部に設置される見本支持体の前面に、上記商品の前側半分と同一形状に形成した半割り型見本の後面部が固定される凸状の見本固定部を設けたことを特徴とする。
【０００７】
この発明によると、半割り型見本の後面部を、見本支持体の前面に設けた見本固定部に固定し、半割り型見本が固定された見本支持体を、自動販売機の見本陳列部に設置するので、商品の前側半分と同一形状に形成した既存の半割り型見本を用いることができ、製作コストが低減できる。
【０００８】
また、見本固定部は、例えば見本支持体前面に膨出成形した凸状の固定部、スポンジ等の柔軟性を有する固定部、見本支持体前面に折曲げ形成した舌状又は片状の固定部等で構成することができる。また、半割り型見本を、見本固定部に固定する場合、実施例では両面粘着テープの粘着力で粘着固定するが、他の固定方法として、例えば面ファスナー、マグネット、接着剤、ネジ、或いは、凸部と凹部を係止するか、孔部と突起を係止する等の固定手段で固定することもできる。
【０００９】
加えて、見本固定部以外の見本支持体前面を、例えば茶畑や空、海、山、川等の自然、花や樹木等の植物、犬や猫等の動物を立体形状に膨出成形するか、商品の特徴が強調されるような任意のデザイン、或いは、商品の販売促進、宣伝効果、注目度を高めるような任意の凹凸形状に膨出成形する等してもよい。
【００１０】
請求項２に記載した発明の半割り型見本支持体は、上記請求項１に記載の構成と併せて、上記見本固定部を、上記見本支持体の前面を膨出成形してなる膨出部に設けたことを特徴とする。
【００１１】
この発明によると、半割り型見本を、見本陳列部内の背面に対して直接取り付けるよりも、商品と対応する半割り型見本が目立ちやすく、半割り型見本が前方に飛び出してくるか、浮き上がってくるような立体感を購入者に対して与えることができ、高い注目度が得られる。また、上記膨出部を成型する方法としては、例えば真空成形、加圧成形、ブロー成形、押出し成形等の成形方法を用いることができる。
【００１２】
請求項３に記載した発明の半割り型見本支持体は、上記請求項２に記載の構成と併せて、上記膨出部を、上記商品を正面から見た輪郭と同一形状に形成したことを特徴とする。
【００１３】
この発明によると、商品と対応する半割り型見本が見本支持体の前面に突出しているような立体感が得られる。また、半割り型見本の突出量を、膨出部の膨出量に応じて変更することができる。
【００１４】
請求項４に記載した発明の半割り型見本支持体は、上記請求項２又は３に記載の構成と併せて、上記商品と酷似する形状に形成した膨出部を、上記見本固定部が設けられた膨出部側部に複数形成するとともに、上記各膨出部を、上記見本固定部が設けられた膨出部を基準として、該見本支持体の前面に沿って連なるように配列したことを特徴とする。
【００１５】
この発明によると、半割り型見本が固定された膨出部の側部に、商品と酷似する形状に形成した複数の各膨出部を連なるように配列すれば、商品と対応する半割り型見本と、該商品と酷似する膨出部とが１つの見本集合体として突出するような立体感が得られ、半割り型見本を独立した膨出部に固定するよりも、高い宣伝効果が得られる。
【００１６】
請求項５に記載した発明の半割り型見本支持体は、上記請求項４に記載の構成と併せて、上記各膨出部を、上記見本固定部が設けられた膨出部の膨出量を基準として、該各膨出部が徐々に小さくなるように配列したことを特徴とする。
【００１７】
この発明によると、商品と酷似する形状に形成した複数の各膨出部を、半割り型見本が固定された膨出部側部に対して徐々に小さくなるように配列すれば、遠近感が付加され、同一高さに形成した各膨出部を配列するよりも、商品と対応する半割り型見本の立体感を強調することができる。
【００１８】
請求項６に記載した発明の半割り型見本支持体は、上記請求項１乃至５のいずれか一つに記載の構成と併せて、上記見本支持体を、所定形状に折曲げ可能な厚みを有するフィルム状又はシート状の合成樹脂で形成し、上記見本支持体の下部に、該見本支持体を起立状態に支持する支持部を折曲げ形成したことを特徴とする。
【００１９】
この発明によると、半割り型見本が起立状態に支持される支持部を、フィルム状又はシート状の見本支持体を折り曲げて形成するので、凹凸形状を有する見本支持体を成形するよりも、金型の製作費が安くて済み、安価に製作することができる。また、見本支持体や半割り型見本は、例えばポリアセタール、ポリプロピレン、ポリエチレン、ポリエステル、ポリカーボネード、アクリル等の透光性を有する合成樹脂で形成することができる。
【００２０】
請求項７に記載した発明の半割り型見本支持体は、上記請求項１乃至６のいずれか一つに記載の構成と併せて、上記見本支持体の一端側前面部と他端側後面部とを略平行する状態に折曲げ、上記半割り型見本が固定される前面部を、該前面部の後側に配置される後面部に対して所定間隔に隔てられた状態に支持したことを特徴とする。
【００２１】
この発明によると、見本支持体の前面部と後面部とを略平行する状態に折曲げて、半割り型見本が固定される前面部を後面部に対して所定間隔に隔てられた状態に支持して立体的に組み立てるので、商品の特徴が強調され、形状、デザインが目立ちやすく、半割り型見本が前方に飛び出してくるような立体感を購入者に対して与えることができる。
【００２２】
請求項８に記載した発明の半割り型見本支持体は、上記請求項１乃至７のいずれか一つに記載の構成と併せて、上記見本支持体の縁部に、上記見本固定部に固定した半割り型見本の底部側が覆い隠される覆い部を折曲げ形成したことを特徴とする。
【００２３】
この発明によると、見本支持体の縁部に形成した覆い部を半割り型見本の底部側が覆われる方向に折曲げて、既存の半割り型見本に形成した底部側の取付け部が前方から見えないように覆い隠すので、購入者の目線が半割り型見本の底部側に移るようなことがなく、半割り型見本のみに注目させることができる。
【発明の効果】
【００２４】
この発明によれば、既存の半割り型見本を、見本陳列部に設置される見本支持体前面の見本固定部に固定するので、商品の種類に応じて複数種の見本支持体を製作するか、見本支持体に対応した専用の半割り型見本を製作する必要がなく、半割り型見本を新規に製作せずに、商品の販売促進、宣伝効果、注目度等を高めることができる。また、見本支持体のみを製作するだけで済むため、全体の製作費が安価となり、コストの低減を図ることができる。
【００２５】
また、半割り型見本を、見本支持体前面に膨出成形した膨出部に固定すれば、見本陳列部内の背面に対して直接取り付けるよりも、商品と対応する半割り型見本が目立ちやすく、半割り型見本が前方に飛び出してくるか、浮き上がってくるような立体感を購入者に対して与えることができ、商品の特徴が強調され、形状、デザインが目立ちやすく、高い注目度が得られる。
【００２６】
また、半割り型見本が支持される立体的な組立て形態に、フィルム状又はシート状の見本支持体を折り曲げて形成するので、凹凸形状を有する見本支持体を成形するよりも、金型の製作費が安くて済み、安価に製作することができる。
【発明を実施するための最良の形態】
【００２７】
この発明は、半割り型見本を新規に製作することなく、商品の販売促進、宣伝効果、注目度等を高めることができるという目的を、既存の半割り型見本を、見本陳列部に設置される見本支持体前面の見本固定部に固定することで達成した。
【実施例】
【００２８】
この発明の一実施例を以下図面に基づいて詳述する。  
図面は、自動販売機が販売する商品の販売促進、宣伝広告に用いられる第１実施例の半割り型見本支持体を示し、図１に於いて、この半割り型見本支持体３は、自動販売機１の上部前面に設けた見本陳列部２内に設置され、販売されるボトル型の商品（例えば飲み物が封入されたペットボトル）と酷似する外観及び意匠に形成している。
【００２９】
上記半割り型見本支持体３は、図２、図３、図４に示すように、見本陳列部２内の背面パネル２ａに固定される見本支持体４と、見本支持体４の前面に対して縦向き姿勢に取付けられるボトル型のハーフダミー等の半割り型見本５とで構成される。また、見本支持体及び半割り型見本の少なくとも一方は、例えばポリアセタール、ポリプロピレン、ポリエチレン、ポリエステル、ポリカーボネード、アクリル等の透光性を有するフィルム状又はシート状の合成樹脂で形成している。
【００３０】
また、見本支持体４の前面に、商品を正面から見た輪郭と同一形状の膨出部４Ａを縦方向に膨出成形し、その膨出部４Ａの前面に、商品の前側半分と同一形状を有する半割り型見本５の後面側開口部が装着許容される凸状の見本固定部４Ａａを一体的に成形している。且つ、見本固定部４Ａａは、膨出部４Ａの前面側外周縁部よりも内側に形成され、半割り型見本５の後面側内周縁部と対向する見本固定部４Ａａの前面側外周縁部には、半割り型見本５を見本固定部４Ａａに対して固定するのに必要な粘着力を有する両面粘着テープ７，７を夫々貼着している。
【００３１】
また、半割り型見本５の外面は、実際に販売する商品を縦方向に対して略１／２に切断した半割り形状に形成され、半割り型見本５の後面側開口部は、膨出部４Ａに形成した見本固定部４Ａａの前面側外周縁部に対して装着又は嵌込みが許容される大きさ及び形状に形成している。且つ、半割り型見本５の前面には、自動販売機１が販売する商品と同一及び酷似する表示内容（例えば図柄、模様、文字、色彩等）を印刷している。
【００３２】
上記半割り型見本５を、見本支持体４の膨出部４Ａに形成した見本固定部４Ａａに固定する場合、見本固定部４Ａａの前面側両側縁部に貼着した各両面粘着テープ７，７の粘着面から離型紙を夫々剥離しておき、半割り型見本５の後面側内周縁部を見本固定部４Ａａの前面側外周縁部に嵌合した際に、半割り型見本５の後面側周縁部を、見本固定部４Ａａの周縁部よりも外側に突出する膨出部４Ａの前面側周縁部に当接して、半割り型見本５と膨出部４Ａとの輪郭が略一致するように縦向き姿勢に取り付ける。
【００３３】
且つ、半割り型見本５の後面側両側縁部を、見本固定部４Ａａの前面側両側縁部に貼着した各両面粘着テープ７，７の粘着面に押し付けて粘着固定する。また、両面粘着テープ６，７に代わる他の固定方法として、例えば面ファスナー、マグネット、接着剤、ネジ、或いは、凸部と凹部を係止するか、孔部と突起を係止する等の固定手段を用いてもよい。
【００３４】
前記見本支持体４に形成した膨出部４Ａの一側部（又は他側部、両側部）には、商品の前面と酷似する形状に形成した膨出部４Ｂを複数形成するとともに、各膨出部４Ｂ…を、見本固定部４Ａａが設けられた膨出部４Ａを基準として、見本支持体４の前面に沿って扇状に連なるように配列している。
【００３５】
また、各膨出部４Ｂ…を、見本固定部４Ａａが設けられた膨出部４Ａの膨出量を基準として、基準膨出部４Ａから遠くなる方向に向けて各膨出部４Ｂ…の膨出量が徐々に小さくなるように配列している。なお、各膨出部４Ｂ…を、例えば左右方向、上下方向、斜め方向等の任意方向に向けて連なるように配列してもよい。
【００３６】
前記見本支持体４の後面側四隅部（又は後面側周縁部）には、半割り型見本５が取り付けられた見本支持体４全体を、見本陳列部２内の背面パネル２ａに対して固定するのに必要な粘着力を有する複数の各両面粘着テープ６…を夫々貼着している。
【００３７】
上記見本支持体４を、見本陳列部２内の背面パネル２ａに固定する場合、見本支持体４の後面側四隅部に貼着した各両面粘着テープ６…の粘着面から離型紙を夫々剥離し、各両面粘着テープ６…の粘着面を背面パネル２ａの前面側に押し付けて粘着固定する。
【００３８】
また、見本支持体４に形成した膨出部４Ａ及び各膨出部４Ｂ…を除いた残りの前面には、商品の販売促進、宣伝効果、注目度等を高めるような表示内容（例えば風景、模様、図柄、文字、色彩等）を印刷している。
【００３９】
図示実施例は上記の如く構成するものにして、以下、自動販売機１に設けた見本陳列部２内に半割り型見本支持体３を設置する方法を説明する。
【００４０】
先ず、図１、図２に示すように、見本支持体４の後面部４Ｆを、複数の各両面粘着テープ６…を介して、見本陳列部２内の背面パネル２ａ前面に対して粘着固定した後、半割り型見本５の後面側内周縁部を、見本支持体４の膨出部４Ａに形成した見本固定部４Ａａの前面側外周縁部に対して前方から装着する。
【００４１】
且つ、図３、図４に示すように、半割り型見本５の後面側周縁部と膨出部４Ａの前面側周縁部とを当接して、半割り型見本５と膨出部４Ａとの輪郭が略一致するように取り付けるとともに、各両面粘着テープ７，７を介して、半割り型見本５の後面側両側縁部を、見本固定部４Ａａの前面側両側縁部に対して粘着固定するので、半割り型見本５を見本支持体４の前面に対して縦向き姿勢に取付けることができる。
【００４２】
加えて、側面から見て略半円形状に折り曲げ形成したフィルム状表示体１０を、各両面粘着テープ６，６を介して、見本支持体４の固定箇所と対応する底面パネル２ｂに形成した各取付け孔２ｃ…が隠蔽されるように粘着固定してもよい。
【００４３】
また、半割り型見本支持体３を構成する見本支持体４に対して半割り型見本５を予め固定しておき、半割り型見本５が固定された見本支持体４を、見本陳列部２内の背面パネル２ａに粘着固定することもできる。また、膨出部４Ａ，４Ｂを見本支持体４前面に膨出成形せず、半割り型見本５を、見本支持体４前面に形成した見本固定部４Ａａに対して直接固定することもできる。
【００４４】
以上のように、既存の半割り型見本５を、見本陳列部２に設置される見本支持体４前面の膨出部４Ａに形成した見本固定部４Ａａに固定するので、商品の種類に応じて複数種の半割り型見本支持体３を製作するか、見本支持体４に対応した専用の半割り型見本５を製作する必要がなく、半割り型見本を新規に製作せずに、商品の販売促進、宣伝効果、注目度等を高めることができる。また、見本支持体４のみを製作するだけで済むため、全体の製作費が安価となり、コストの低減を図ることができる。
【００４５】
また、半割り型見本５を、見本支持体４前面に膨出成形した膨出部４Ａに固定すれば、見本陳列部２内の背面パネル２ａに対して直接取り付けるよりも、商品と対応する半割り型見本５が目立ちやすく、半割り型見本５が前方に飛び出してくるか、浮き上がってくるような立体感を購入者に対して与えることができ、商品の特徴が強調され、形状、デザインが目立ちやすく、高い注目度が得られる。
【００４６】
図５、図６、図７は、半割り型見本５が取付けられる見本支持体４を、所定形状に折曲げ可能な厚みを有するフィルム状又はシート状の合成樹脂で構成した第２実施例の半割り型見本支持体３を示し、半割り型見本５の後面側周縁部を、フィルム状又はシート状に形成された見本支持体４の前面部４Ｅに押し当てるとともに、見本支持体４の一部前面を前方に突出するように折り曲げて形成した舌状又は片状の見本固定部４Ａｂを半割り型見本５の後面側開口部に挿入し、半割り型見本５の後面側内周縁部を、見本固定部４Ａｂに貼着した両面粘着テープ７に押し付けて粘着固定し、半割り型見本５を見本支持体４前面に対して横向き姿勢に取付ける。
【００４７】
一方、見本支持体４の下端部を、該折曲げ側下端部に形成したミシン目等の複数の各折曲げ線４ａ…に沿って前方及び上方に折曲げるとともに、折曲げ側端部中央に形成した係止部４ｂを、見本支持体４の下端側前面中央に形成した係止孔４ｃに係止し、折曲げ側端部の左端に形成した係止爪４ｄを、見本支持体４の一側縁部に形成した係止溝４ｅに係止して、右端に形成した係止爪４ｄを、下記覆い部４Ｄの下端側縁部に形成した係止溝４ｅに係止して、側面から見て略三角形状となる支持部４Ｃを見本支持体４の下部に折曲げ形成する。
【００４８】
また、半割り型見本５の底部側と対応する見本支持体４の他側縁部に形成した覆い部４Ｄを前方に向けて略直角に折曲げ、その折曲げ側端部を、見本支持体４の前面と平行して半割り型見本５の底部に形成した凸状の取付け部５ａが覆われる方向に向けて略直角に折曲げ、見本支持体４前面に固定した半割り型見本５の取付け部５ａが前方から見えないように覆い隠すので、購入者の目線が半割り型見本５の底部側に移るようなことがなく、半割り型見本５のみに注目させることができる。
【００４９】
上記半割り型見本支持体３を見本陳列部２に設置する場合、図１に示すように、支持部４Ｃ底面に貼着した各両面粘着テープ６…を、見本陳列部２の底面パネル２ｂ上面に押し付けて粘着固定し、見本支持体４を見本陳列部２の底面パネル２ｂに対して起立状態に取付ける。つまり、半割り型見本５が見本支持体４の前面に対して横向き姿勢に取付けられ、上記第１実施例と同等又は同等以上の作用及び効果を奏することができる。また、凹凸形状を有する半割り型見本支持体３を成形するよりも、金型の製作費が安くて済み、安価に製作することができる。
【００５０】
なお、舌状又は片状を有する見本固定部４Ａｂの代わりに、例えば凸状の見本固定部４Ａａを見本支持体４前面に形成するか、その見本固定部４Ａａを見本支持体４前面の膨出部４Ａに形成する等してもよい。また、見本支持体４の後面部４Ｆを、複数の各両面粘着テープ６…を介して、見本陳列部２の背面パネル２ａ前面に粘着固定することもできる。
【００５１】
図８、図９、図１０は、半割り型見本５が取付けられる見本支持体４を、所定形状に折曲げ可能な厚みを有するフィルム状又はシート状の合成樹脂で構成した第３実施例の半割り型見本支持体３を示し、半割り型見本５の後面側開口部を、見本支持体４前面に固定したスポンジ等の柔軟性を有する見本固定部４Ａａに対して前方から装着し、半割り型見本５の後面側両側縁部を、見本固定部４Ａａの前面側両側縁部に貼着した各両面粘着テープ７，７に押し付けて粘着固定し、半割り型見本５を見本支持体４前面の見本固定部４Ａａに対して縦向き姿勢に取付ける。また、見本固定部４Ａａを、見本支持体４の前面部４Ｅに膨出成形するか、その前面部４Ｅに膨出される膨出部４Ａに一体的に成形する等してもよい。
【００５２】
また、半割り型見本５が取付けられる見本支持体４の前面部４Ｅを、例えば商品に含まれる様々なお茶等の原材料を視覚的に認識することが可能な葉形状に形成するとともに、その葉形状を有する複数の各突出部４Ｅａ…に、原材料に対応したお茶の名称を印刷している。なお、商品の販売促進、宣伝効果、注目度等を高めるものであれば、見本支持体４の外観形状及び表示内容を、商品に対応して所望する形状（例えば方形、丸形、星形、楕円形等の単一形状又は複数を組み合わせた複合形状）に変更したり、所望する表示内容（例えば模様、図柄、文字、色彩等）に変更してもよい。
【００５３】
一方、前後面が対向する状態に折曲げ可能な長さに形成した見本支持体４の中央平面部を、複数の各折曲げ線４ａ…に沿って前方に向けて略直角に折曲げ、該平面部に連設された前端側斜面部を前方斜め下方に向けて折曲げ、該斜面部に連設された底面部を、上記平面部と平行して後方に向けて折曲げ、底面部に連設された後面部４Ｆを、見本支持体４の前面部４Ｅと略平行して上方に向けて略直角に折曲げ、見本支持体４の前面部４Ｅと後面部４Ｆとの中央部対向面間に、スポンジ等の柔軟性を有する支持部材８を粘着固定して、前面部４Ｅと後面部４Ｆとを所定間隔に隔てられた状態に支持するとともに、側面から見て略台形状となる支持部４Ｃを見本支持体４の下部中央に折曲げ形成する。
【００５４】
また、後面部４Ｆの前面側上縁部には、商品に関する表示内容が印刷された表示シート４Ｇを、前面部４Ｅよりも前方に突出するような状態に取付けている。
【００５５】
上記半割り型見本支持体３を見本陳列部２に設置する場合、図１に示すように、見本支持体４の後面部４Ｆを、各両面粘着テープ６…を介して、見本陳列部２の背面パネル２ａ前面に粘着固定するので、半割り型見本５を、見本支持体４前面の見本固定部４Ａａに縦向き姿勢に取付ければ、半割り型見本５が前方に飛び出してくるような立体感を購入者に対して与えることができ、商品の特徴が強調され、形状、デザインが目立ちやすく、上記第１実施例と同等又は同等以上の作用及び効果を奏することができる。また、見本支持体４の支持部４Ｃを、各両面粘着テープ６…を介して、底面パネル２ｂ上面に粘着固定することもできる。
【００５６】
なお、後面部４Ｆの前方から見える部分及び斜面部４ｇの上面には、商品の販売促進、宣伝効果、注目度等を高めるような表示内容（模様や色彩、文字等）を印刷している。また、見本固定部４Ａａ及び支持部材８を、スポンジ以外の適度な硬さを有する材質で構成するか、支持部材８を、見本支持体４の後面部４Ｆに膨出成形する等してもよい。
【００５７】
図１１は、見本支持体４を構成する後面部４Ｆ前面に、複数の各突出部４Ｅａ…が形成された前面部４Ｅを一体的に固定した第４実施例の半割り型見本支持体３を示し、また、前面部４Ｅを後面部４Ｆ前面に対して一体的に形成してもよい。
【００５８】
上記半割り型見本支持体３を見本陳列部２に設置する場合、見本支持体４の後面部４Ｆを、各両面粘着テープ６…を介して、見本陳列部２の背面パネル２ａ前面に粘着固定するので、半割り型見本５を、見本支持体４前面の見本固定部４Ａａに取付ければ、上記第３実施例と同等の作用及び効果を奏することができる。また、見本支持体４の支持部４Ｃを、各両面粘着テープ６…を介して、底面パネル２ｂ上面に粘着固定することもできる。
【００５９】
図１２は、半割り型見本支持体３を構成する見本支持体４の他の固定方法を示し、見本支持体４の支持部４Ｃ底面に形成した凸状の取付け部５ａを、底面パネル２ｂに形成した凹状の取付け孔２ｃに嵌め込むとともに、取付け部５ａと取付け孔２ｃとの対向縁部に形成した凸部及び凹部（或いは突起、爪部、切欠き部等）を互いに係止して、見本支持体４を、本陳列部２の底面パネル２ｂに対して起立状態に取付けてもよい。
【００６０】
図１３、図１４は、半割り型見本支持体３と組み合わせて見本陳列部２の底面パネル２ｂに取付けられるフィルム状表示体１０を示し、シート状に展開されたフィルム本体１０Ａの前後端部を、該前後端部に形成した各折曲げ線１０ａ…に沿って裏面側中央部に向けて折り曲げるとともに、前端側中央に形成した係止部１０ｂと、後端側中央に形成した係止孔１０ｃとを互いに係止し、前後端部の両側縁部に形成した一対の各係止爪１０ｄ，１０ｄと、一対の各係止溝１０ｅ，１０ｅとを互いに係止して、側面から見て略半円形状に折り曲げた形態に組み立てる。なお、フィルム本体１０Ａは、例えば販売促進、宣伝広告等の商品に関連した表示内容が表面側に印刷された透光性を有する合成樹脂フィルムで構成している。
【００６１】
また、フィルム状表示体１０を、半割り型見本支持体３の取付け部分と対応して底面パネル２ｂに形成した彩光用の取付け孔２ｃが隠蔽されるように固定する場合、フィルム本体１０ａの前後端部に貼着した各両面粘着テープ６，６の粘着面から離型紙を剥離し、各両面粘着テープ６，６の粘着面を底面パネル２ｂの上面に押し付けて粘着固定する。
【００６２】
なお、本発明は、上述の第１乃至第４実施例の構成のみに限定されるものではなく、請求項に示される技術思想に基づいて応用することができ、多くの実施の形態を得ることができる。
【００６３】
また、半割り型見本支持体３を構成する膨出部４Ａ，４Ｂ及び見本固定部４Ａａ，４Ａｂ以外の見本支持体４前面を、例えば茶畑や空、海、山、川、風景等の自然、花や樹木等の植物、犬や猫等の動物を立体形状に膨出成形するか、商品の特徴が強調されるような任意のデザイン（例えば図柄、模様、文字等）、或いは、商品の販売促進、宣伝効果、注目度を高めるような任意の凹凸形状に膨出成形する等してもよい。
【産業上の利用可能性】
【００６４】
上記半割り型見本支持体の構成は、実施例のボトル型を有する商品以外に、例えば缶型や瓶型、紙パック型等を有する商品と対応する形状に形成した半割り型見本を設置する際にも利用することができる。
【図面の簡単な説明】
【００６５】
【図１】半割り型見本支持体を設置した自動販売機を示す正面図。
【図２】第１実施例の半割り型見本支持体の組立て状態を示す斜視図。
【図３】半割り型見本の取付け方法を示す斜視図。
【図４】半割り型見本の取付け方法を示す縦断側面図。
【図５】第２実施例の半割り型見本支持体の組立て状態を示す斜視図。
【図６】半割り型見本の取付け状態を示すＡ−Ａ線矢視断面図。
【図７】図５の見本支持体の展開状態を示す平面図。
【図８】第３実施例の半割り型見本支持体の組立て状態を示す斜視図。
【図９】半割り型見本の取付け方法を示す縦断側面図。
【図１０】図８の見本支持体の展開状態を示す平面図。
【図１１】第４実施例の半割り型見本支持体の組立て状態を示す斜視図。
【図１２】半割り型見本支持体の他の固定方法を示す縦断側面図。
【図１３】フィルム状表示体の組立て状態を示す斜視図。
【図１４】図１２のフィルム状支持体の展開状態を示す平面図。
【符号の説明】
【００６６】
１…自動販売機
２…見本陳列部
２ａ…背面パネル
２ｂ…底面パネル
２ｃ…取付け孔
３…半割り型見本支持体
４…見本支持体
４Ａ，４Ｂ…膨出部
４Ａａ，４Ａｂ…見本固定部
４Ｃ…支持部
４Ｄ…覆い部
４Ｅ…前面部
４Ｅａ…突出部
４Ｆ…後面部
５…半割り型見本
５ａ…取付け部
６，７…両面粘着テープ
１０…フィルム状表示体
【図１】
2007034354.tif 000003
【図２】
2007034354.tif 000004
【図３】
2007034354.tif 000005
【図４】
2007034354.tif 000006
【図５】
2007034354.tif 000007
【図６】
2007034354.tif 000008
【図７】
2007034354.tif 000009
【図８】
2007034354.tif 000010
【図９】
2007034354.tif 000011
【図１０】
2007034354.tif 000012
【図１１】
2007034354.tif 000013
【図１２】
2007034354.tif 000014
【図１３】
2007034354.tif 000015
【図１４】
2007034354.tif 000016